(57)【特許請求の範囲】
【請求項１】
自発光素子と、供給電源電圧及び供給階調信号に基づいて前記自発光素子を流れる駆動電流及び前記自発光素子に印加する駆動電圧を制御する制御回路とを備えた画素回路が複数配列された電気光学装置に用いられる駆動回路であって、
電源電圧を生成する電源回路と、
前記自発光素子の発光輝度に応じた階調信号を生成する階調信号生成回路と、
前記電気光学装置の温度を検出して温度情報を出力する温度検出手段と、
前記温度情報に応じて前記電源電圧を補正するための電源電圧補正信号を生成すると共に、前記温度情報に応じて前記階調信号を補正するための階調補正信号を生成する補正信号生成手段と、
前記電源電圧補正信号に基づいて前記電源電圧を補正して得た前記供給電源電圧を前記画素回路へ出力する第１供給手段と、
前記階調補正信号に基づいて前記階調信号を補正して得た前記供給階調信号を前記画素回路へ出力する第２供給手段と、
を備え、
前記電源電圧補正信号は、前記駆動電流を一定としたとき、前記自発光素子の発光輝度における温度変化量を小さくする方向に補正するように定められており、
前記階調補正信号は、前記駆動電圧を一定としたとき、前記自発光素子の発光輝度における温度変化量を小さくする方向に補正するように定められている
ことを特徴とする駆動回路。
【請求項２】
前記補正信号生成手段は、前記電源電圧補正信号及び前記階調補正信号と前記温度情報とを対応付けて記憶したテーブルを備えることを特徴とする請求項１に記載の駆動回路。
【請求項３】
前記補正信号生成手段は、検出された前記温度情報に対応して前記電源電圧補正信号及び前記階調補正信号を生成する演算手段を備えることを特徴とする請求項１に記載の駆動回路。
【請求項４】
前記複数の画素回路には、発光色が相違する複数種類の前記自発光素子が設けられており、
前記電源回路は、前記発光色の種類に応じた複数種類の電源電圧を生成し、
前記階調信号生成回路は、前記発光色の種類応じた複数種類の階調信号を生成し、
前記補正信号生成手段は、前記発光色の種類毎に、前記温度情報に応じて前記電源電圧補正信号及び前記階調補正信号を各々生成し、
前記第１供給手段は、前記発光色の種類毎の前記各電源電圧補正信号に基づいて前記各電源電圧を補正して前記各供給電源電圧を生成し、前記各供給電源電圧を前記発光色の種類に応じて前記各画素回路に供給し、
前記第２供給手段は、前記発光色の種類毎の前記各階調補正信号に基づいて前記各階調信号を補正して前記各供給階調信号を生成し、前記各供給階調信号を前記発光色の種類に応じて前記各画素回路に供給する
ことを特徴とする請求項１に記載の駆動回路。
【請求項５】
前記供給階調信号は、前記自発光素子に供給する電流の大きさに応じた電流信号であり、
前記制御回路は、書込期間と発光期間を交互に繰り返して動作し、前記書込期間において前記電流信号の大きさを記憶し、前記発光期間において記憶した大きさの前記駆動電流を前記自発光素子に供給すると共に前記供給電源電圧に応じた前記駆動電圧を前記自発光素子に印加する
ことを特徴とする請求項１に記載の駆動回路。
【請求項６】
前記画素回路において、
前記供給電源電圧は、第１電位線と第２電位線との間の電圧として与えられ、
前記書込期間においてアクティブとなる走査信号が走査線を介して供給され、
前記発光期間においてアクティブとなる制御信号が制御線を介して供給され、
前記電流信号がデータ線を介して供給され、
前記自発光素子は、一端が前記第１電位線に接続され、他端が前記制御回路に接続され、
前記制御回路は、
前記第２電位線にソースが接続される第１トランジスタと、
前記第１トランジスタのゲートとソースとの間に設けられた容量と、
前記走査信号がゲートに供給され、前記第１トランジスタのゲートとドレインとの間に設けられた第２トランジスタと、
前記走査信号がゲートに供給され、前記第１トランジスタのドレインと前記データ線との間に設けられた第３トランジスタと、
前記制御信号がゲートに供給され、前記第１トランジスタのドレインと前記自発光素子の他端との間に設けられた第４トランジスタとを備える
ことを特徴とする請求項５に記載の駆動回路。
【請求項７】
前記供給階調信号は、前記自発光素子に供給する電流の大きさに応じた電圧信号であり、
前記制御回路は、書込期間と発光期間を交互に繰り返して動作し、前記書込期間において前記電圧信号の大きさを記憶し、前記発光期間において記憶した前記電圧信号に応じた前記駆動電流を前記自発光素子に供給すると共に前記供給電源電圧に応じた前記駆動電圧を前記自発光素子に印加する
ことを特徴とする請求項１に記載の駆動回路。
【請求項８】
前記画素回路において、
前記供給電源電圧は、第１電位線と第２電位線との間の電圧として与えられ、
前記書込期間においてアクティブとなり、前記発光期間において非アクティブとなる走査信号が走査線を介して供給され、
前記電圧信号がデータ線を介して供給され、
前記自発光素子は、一端が前記第１電位線に接続され、他端が前記制御回路に接続され、
前記制御回路は、
前記第２電位線にソースが接続され、ドレインが前記自発光素子の他端に接続される第１トランジスタと、
前記第１トランジスタのゲートとソースとの間に設けられた容量と、
前記走査線とゲートが接続され、前記データ線とソースが接続され、前記第１トランジスタのゲートとドレインが接続された第２トランジスタとを備える
ことを特徴とする請求項７に記載の駆動回路。
【請求項９】
前記自発光素子は、有機発光ダイオードであることを特徴とする請求項１乃至８のいずれかに記載の駆動回路。
【請求項１０】
請求項１乃至９のうちいずれか１項に記載した駆動回路と、
自発光素子と、前記自発光素子に流れる駆動電流を制御する制御回路とを備えた複数の画素回路と、
を備えたことを特徴とする電気光学装置。
【請求項１１】
請求項１０に記載の電気光学装置を備え、当該電気光学装置を画像を表示する表示手段として用いることを特徴とする電子機器。
【請求項１２】
自発光素子と、供給電源電圧及び供給階調信号に基づいて前記自発光素子を流れる駆動電流及び前記自発光素子に印加する駆動電圧を制御する制御回路とを備えた画素回路が複数配列された電気光学装置を駆動する駆動方法であって、
電源電圧及び前記自発光素子の発光輝度に応じた階調信号を生成し、
前記画素回路の温度を検出して温度情報を出力し、
前記温度情報に応じて前記電源電圧を補正するための電源電圧補正信号を生成すると共に、
前記温度情報に応じて前記階調信号を補正するための階調補正信号を生成し、
前記電源電圧補正信号に基づいて前記電源電圧を補正して得た前記供給電源電圧を前記画素回路へ出力し、
前記階調補正信号に基づいて前記階調信号を補正して得た前記供給階調信号を前記画素回路へ出力し、
前記電源電圧補正信号は、前記駆動電流を一定としたとき、前記自発光素子の発光輝度における温度変化量を小さくする方向に補正するように定められており、
前記階調補正信号は、前記駆動電圧を一定としたとき、前記自発光素子の発光輝度における温度変化量を小さくする方向に補正するように定められている
ことを特徴とする電気光学装置の駆動方法。
【請求項１３】
前記自発光素子は、有機発光ダイオードであることを特徴とする請求項１２に記載の電気光学装置の駆動方法。
【発明の詳細な説明】
【技術分野】
【０００１】
本発明は、有機発光ダイオードを用いた電気光学装置、その駆動回路及び駆動方法、並びに電気光学装置を用いた電子機器に関する。
【背景技術】
【０００２】
従来の画像表示装置として、液晶を用いた液晶表示装置が知られている。液晶表示装置は、マトリクス状に配列した画素電極と、この画素電極に接続されたＴＦＴ（Thin Film Transistor：薄膜トランジスタ）などのスイッチング素子が設けられた素子基板と、画素電極に対向する対向電極が形成された対向基板と、これら両基板との間に充填された電気光学材料たる液晶とを備える。液晶は印加電圧に応じて透過率が変動する性質を有する。液晶表示装置における階調表示の手法としては、液晶の印加電圧を調整する手法や、電圧の印加時間を調整する手法などが知られている。
【０００３】
液晶の透過率は温度に応じて変化するので、環境温度が変化すると、液晶表示装置の表示特性が変化してしまう。このような温度特性を補正するために、液晶の印加電圧を温度に応じて調整する技術が知られている（例えば、特許文献１）。また、液晶へ電圧を印加する時間を調整することによって階調表示を行う液晶表示装置においては、印加電圧のパルス幅を温度に応じて調整する技術が知られている（例えば、特許文献２）。
【０００４】
【特許文献１】特開平５−２４１１２８号公報
【特許文献２】特開平８−２３４１７５号公報
【発明の開示】
【発明が解決しようとする課題】
【０００５】
ところで、液晶表示装置に替わる画像表示装置として、有機発光ダイオード素子（以下、ＯＬＥＤ素子と称する。）を備えた装置が注目されている。ＯＬＥＤ素子は、この素子は、電気的にはダイオードのように動作し、光学的には、順バイアス時に発光して順バイアス電流の増加にともなって発光輝度が増加する。
【０００６】
ＯＬＥＤ素子における温度と発光輝度との関係は、ＯＬＥＤ素子を流れる電流及び印加される電圧が相互に関係して、複雑な特性となる。このため、液晶表示装置のようにＯＬＥＤ素子の印加電圧を温度に応じて調整するだけでは、発光輝度の温度特性を補正することができない。加えて、液晶表示装置の場合は、カラーフィルターを用いてカラー表示を行っているので、液晶の透過率を調整する観点からは、色毎に温度特性を補正する必要性に乏しい。
【０００７】
本発明は上述した問題に鑑みてなされたものであり、ＯＬＥＤ素子の発光温度特性を補正する駆動回路、これを用いた電気光学装置、及び電子機器、並びに駆動方法を提供することを解決課題とする。
【課題を解決するための手段】
【０００８】
上述した課題を解決するため、本発明に係る駆動回路は、自発光素子と、第１供給信号及び第２供給信号に基づいて前記自発光素子を流れる駆動電流及び駆動電圧を制御する制御回路とを備えた画素回路が複数配列された電気光学装置に用いられる駆動回路であって、第１信号を生成する第１信号生成手段と、第２信号を生成する第２信号生成手段と、前記電気光学装置の温度を検出して温度情報を出力する温度検出手段と、前記温度情報に応じて前記第１信号を補正するための第１補正信号を生成すると共に、前記温度情報に応じて前記第２信号を補正するための第２補正信号を生成する補正信号生成手段と、前記第１補正信号に基づいて前記第１信号を補正して前記第１供給信号を生成し、当該第１供給信号を前記画素回路へ出力する第１供給手段と、前記第２補正信号に基づいて前記第２信号を補正して前記第２供給信号を生成し、当該第２供給信号を前記画素回路へ出力する第２供給手段と、を備えたことを特徴とする。
【０００９】
自発光素子たる有機発光ダイオードの発光温度特性は、駆動電流と駆動電圧によって左右され複雑な挙動を示す。本発明は、駆動電流及び駆動電圧が２つの供給信号によって制御されることを前提とし、これらの供給信号を独立して補正する。これにより、複雑な温度特性を簡易に補正することができる。この結果、温度によらず一定の輝度で電気光学装置に画像を表示させ、表示品質を大きく向上することができる。なお、温度検出手段は、画素回路の温度を検出できるのであればどのような構成であってもよく、間接的に画素回路の温度を検出するものであってもよい。この場合には、例えば、画素回路が形成されるパネルの外部に配置したものであってもよい。自発光素子とは、電気エネルギーの供給を受けて発光する素子の意味である。
【００１０】
ここで、前記第１信号生成手段は、電源電圧を前記第１信号として生成する電源回路を含み、前記第２信号生成手段は、前記自発光素子の発光輝度に応じた階調信号を前記第２信号として生成する階調信号生成回路を含み、前記補正信号生成手段は、前記温度情報に応じて前記電源電圧を補正するための電源電圧補正信号を前記第１補正信号として生成すると共に、前記温度情報に応じて前記階調信号を補正するための階調補正信号を前記第２補正信号として生成し、前記第１供給手段は、前記電源電圧補正信号に基づいて前記電源電圧を補正して得た供給電源電圧を前記第１供給信号として生成し、前記供給電源電圧を前記画素回路へ出力し、前記第２供給手段は、前記階調補正信号に基づいて前記階調信号を補正して得た供給階調信号を前記第２供給信号として生成し、前記供給階調信号を前記画素回路へ出力し、前記制御回路は前記供給電源電圧及び前記供給階調信号に基づいて前記自発光素子を流れる前記駆動電流及び前記駆動電圧を制御することが好ましい。この場合には、画素回路の供給電源電圧と供給階調信号によって駆動電流及び駆動電圧が制御されるが、これらは温度に応じて独立に補正される。従って、有機発光ダイオードの複雑な温度特性を正確に補正して、温度によらず一定の輝度で電気光学装置に画像を表示させることが可能となる。
【００１１】
また、上述した駆動回路において、前記補正信号生成手段は、電源電圧補正情報及び階調補正情報と前記温度情報とを対応付けて記憶したテーブルを備え、当該テーブルを参照して、検出された前記温度情報に対応する前記電源電圧補正情報及び前記階調補正情報を取得し、取得した前記電源電圧補正情報及び前記階調補正情報を前記電源電圧補正信号及び前記階調補正信号として出力することが好ましい。上述したように温度に応じた補正は２つの系統で別個に実行されるが、テーブルには温度と２つの補正情報が対応付けられて記憶されているので、補正情報の記憶手段を兼用することが可能となる。これにより、テーブルの記憶容量を削減すると共に、温度に応じた補正情報の取得が容易になる。
また、上述した駆動回路において、前記補正信号生成手段は、電源電圧補正情報及び階調補正情報と前記温度情報とを対応付けた演算手段を備え、当該演算手段は、検出された前記温度情報に対応して前記電源電圧補正情報及び前記階調補正情報を生成し、生成した前記電源電圧補正情報及び前記階調補正情報を前記電源電圧補正信号及び前記階調補正信号として出力してもよい。この場合には、演算により補正情報を得ることができる。
【００１２】
ここで、前記電源電圧補正情報は、前記駆動電流を一定としたとき、前記電源電圧補正情報は、前記駆動電流を一定としたとき、前記自発光素子の発光輝度における温度変化量を小さくする方向に補正するように定められており、前記階調補正情報は、前記駆動電圧を一定としたとき、前記自発光素子の発光輝度における温度変化量を小さくする方向に補正するように定められていることが好ましい。この場合には、駆動電圧と駆動電流といった有機発光ダイオードの発光温度特性を左右する２つの駆動条件のうち、一方を固定にして他方を補正する共に、他方を固定にして一方を補正することができるので、結果として、複雑な発光温度特性を正確に補正することが可能となる。
【００１３】
また、電気光学装置において、前記複数の画素回路には、発光色が相違する複数種類の前記自発光素子が設けられており、前記電源回路は、前記発光色の種類に応じた複数種類の電源電圧を生成し、前記階調信生成回路は、前記発光色の種類応じた複数種類の階調信号を生成し、前記補正信号生成手段は、前記発光色の種類毎に、前記温度情報に応じて前記電源電圧補正信号及び前記階調補正信号を各々生成し、前記第１供給手段は、前記発光色の種類毎の前記各電源電圧補正信号に基づいて前記各電源電圧を補正して前記各供給電源電圧を生成し、前記各供給電源電圧を前記発光色の種類に応じて前記各画素回路に供給し、前記第２供給手段は、前記発光色の種類毎の前記各階調補正信号に基づいて前記各階調信号を補正して前記各供給階調信号を生成し、前記各供給階調信号を前記発光色の種類に応じて前記各画素回路に供給することが好ましい。
【００１４】
自発光素子の発光色は、発光層の材料等によって定まるため、発光色が相違すれば、発光温度特性も相違する。この発明によれば、発光色毎に電源電圧及び階調信号を補正するので、温度が変化しても全体の輝度のみならず、色のバランスも一定にすることができる。この結果、表示品質を大幅に向上させることができる。
【００１５】
また、上述した駆動回路において、前記供給階調信号は、前記自発光素子に供給する電流の大きさに応じた電流信号であり、前記制御回路は、書込期間と発光期間を交互に繰り返して動作し、前記書込期間において前記電流信号の大きさを記憶し、前記発光期間において記憶した大きさの前記駆動電流を前記自発光素子に供給すると共に前記供給電源電圧に応じた前記駆動電圧を前記自発光素子に印加することが好ましい。この場合は、電流プログラム方式の画素回路において、自発光素子の発光温度特性を補正することができる。
【００１６】
より具体的には、前記画素回路において、前記供給電源電圧は、第１電位線と第２電位線との間の電圧として与えられ、前記書込期間においてアクティブとなる走査信号が走査線を介して供給され、前記発光期間においてアクティブとなる制御信号が制御線を介して供給され、前記電流信号がデータ線を介して供給され、前記自発光素子は、一端が前記第１電位線に接続され、他端が前記制御回路に接続され、前記制御回路は、前記第２電位線にソースが接続される第１トランジスタと、前記第１トランジスタのゲートとソースとの間に設けられた容量と、前記走査信号がゲートに供給され、前記第１トランジスタのゲートとドレインとの間に設けられた第２トランジスタと、前記走査信号がゲートに供給され、前記第１トランジスタのドレインと前記データ線との間に設けられた第３トランジスタと、前記制御信号がゲートに供給され、前記第１トランジスタのドレインと前記自発光素子の他端との間に設けられた第４トランジスタとを備えることが好ましい。なお、電位線にはグランドが含まれ、また、容量には、素子として作り込まれたものの他、電極や配線等の構造によって生じる寄生容量が含まれる。
【００１７】
また、上述した駆動回路において、前記供給階調信号は、前記自発光素子に供給する電流の大きさに応じた電圧信号であり、前記制御回路は、書込期間と発光期間を交互に繰り返して動作し、前記書込期間において前記電圧信号の大きさを記憶し、前記発光期間において記憶した前記電圧信号に応じた前記駆動電流を前記自発光素子に供給すると共に前記供給電源電圧に応じた前記駆動電圧を前記自発光素子に印加することが好ましい。この場合は、電圧プログラム方式の画素回路において、有機発光ダイオードの発光温度特性を補正することができる。
【００１８】
より具体的には、前記画素回路において、前記供給電源電圧は、第１電位線と第２電位線との間の電圧として与えられ、前記書込期間においてアクティブとなり、前記発光期間において非アクティブとなる走査信号が走査線を介して供給され、前記電圧信号がデータ線を介して供給され、前記自発光素子は、一端が前記第１電位線に接続され、他端が前記制御回路に接続され、前記制御回路は、前記第２電位線にソースが接続され、ドレインが前記自発光素子の他端に接続される第１トランジスタと、前記第１トランジスタのゲートとソースとの間に設けられた容量と、前記走査線とゲートが接続され、前記データ線とソースが接続され、前記第１トランジスタのゲートとドレインが接続された第２トランジスタとを備えることが好ましい。なお、電位線にはグランドが含まれ、また、容量には、素子として作り込まれたものの他、電極や配線等の構造によって生じる寄生容量が含まれる。
【００１９】
次に、本発明に係る他の駆動回路は、自発光素子と、供給電源電圧に応じた駆動電圧を供給階調信号に応じた期間だけ前記自発光素子に印加して電流を供給する制御回路とを備えた画素回路が、前記自発光素子の発光色に応じて規則的に配列された電気光学装置に用いられる駆動回路であって、前記発光色の種類応じた複数種類の電源電圧を生成する電源手段と、前記発光色の種類応じた複数種類の階調信号を生成する階調信号生成手段と、前記画素回路の温度を検出して温度情報を出力する温度検出手段と、前記発光色の種類毎に、前記温度情報に応じて前記各電源電圧を補正するための各電源電圧補正信号を各々生成する補正信号生成手段と、前記各電源電圧補正信号に応じて前記各電源電圧を補正して各供給電源電圧を生成し、前記各供給電源電圧を前記発光色の種類に応じて前記各画素回路に供給する電源電圧供給手段と、表示すべき階調に応じた供給階調信号を前記発光色毎に生成し、前記各供給階調信号を前記発光色の種類に応じて前記各画素回路へ出力する供給階調信号供給手段とを備えたことを特徴とする。
【００２０】
この発明によれば、自発光素子の表示階調を発光期間によって調整する電気光学装置において、画素回路に供給する供給電源電圧を補正することによって自発光素子の発光輝度を温度によらず一定にすることができる。ここで、供給電源電圧は有機発光ダイオードの発光色に応じて各々用意し、各供給電源電圧を補正済みのものとしたので、温度が変化しても全体の輝度のみならず、色のバランスも一定にすることができる。この結果、表示品質を大幅に向上させることができる。
【００２１】
ここで、前記補正信号生成手段は、前記発光色の種類毎の記各電源電圧補正情報と前記温度情報とを対応付けて記憶したテーブルを備え、当該テーブルを参照して、検出された前記温度情報に対応する前記各電源電圧補正情報を取得し、取得した前記各電源電圧補正情報を前記各電源電圧補正信号として出力することが好ましい。この場合には、温度と複数の電源電圧補正情報とが対応付けられてテーブルに記憶されているので、テーブルの記憶容量を削減することができる。
また、前記補正信号生成手段は、前記発光色の種類毎の記各電源電圧補正情報と前記温度情報とを対応付けた演算手段を備え、当該演算手段は、検出された前記温度情報に対応して前記電源電圧補正情報及び前記階調補正情報を生成し、生成した前記電源電圧補正情報及び前記階調補正情報を前記電源電圧補正信号及び前記階調補正信号として出力することが好ましい。この場合には、演算により補正情報を得ることができる。
また、上述した駆動回路において、前記自発光素子は、有機発光ダイオードであることが好ましい。
【００２２】
次に、本発明に係る電気光学装置は、上述した駆動回路と、自発光素子と、前記自発光素子に流れる駆動電流を制御する制御回路とを備えた複数の画素回路と、を備えたことを特徴とする。この電気光学装置によれば、表示輝度の温度特性が大幅に改善することができる。
【００２３】
次に、本発明に係る電子機器は、上述した電気光学装置を備え、当該電気光学装置を画像を表示する表示手段として用いることを特徴とする。このような電子機器としては、パーソナルコンピュータ、携帯電話機、携帯情報端末、モニタ、デジタルスチルカメラ、ビューファインダ等が該当する。
【００２４】
次に、本発明に係る電気光装置の駆動方法は、自発光素子と、第１供給信号及び第２供給信号に基づいて前記自発光素子を流れる駆動電流及び駆動電圧を制御する制御回路とを備えた画素回路が複数配列された電気光学装置を駆動する方法であって、第１信号及び第２信号を生成し、前記画素回路の温度を検出して温度情報を出力し、前記温度情報に応じて前記第１信号を補正するための第１補正信号を生成すると共に、前記温度情報に応じて前記第２信号を補正するための第２補正信号を生成し、前記第１補正信号に基づいて前記第１信号を補正して前記第１供給信号を生成し、当該第１供給信号を前記画素回路へ出力し、前記第２補正信号に基づいて前記第２信号を補正して前記第２供給信号を生成し、当該第２供給信号を前記画素回路へ出力することを特徴とする。この発明によれば、駆動電流及び駆動電圧が２つの供給信号によって自発光素子が制御されることを前提とし、これらの供給信号を独立して補正する。これにより、複雑な温度特性を簡易に補正することができる。この結果、温度によらず一定の輝度で電気光学装置に画像を表示させ、表示品質を大きく向上することができる。
【００２５】
ここで、前記第１信号は電源電圧であり、前記第２信号は、前記自発光素子の発光輝度に応じた階調信号であり、前記前記第１補正信号は、前記温度情報に応じて前記電源電圧を補正するための電源電圧補正信号であり、前記第２補正信号は、前記温度情報に応じて前記階調信号を補正するための階調補正信号であり、前記第１供給信号は、前記電源電圧補正信号に基づいて前記電源電圧を補正して得た供給電源電圧であり、前記第２供給信号は、前記階調補正信号に基づいて前記階調信号を補正して得た供給階調信号であることが好ましい。
【００２６】
次に、本発明に係る電気光装置の他の駆動方法は、自発光素子と、供給電源電圧に応じた駆動電圧を供給階調信号に応じた期間だけ前記自発光素子に印加する制御回路とを備えた画素回路が、前記自発光素子の発光色に応じて規則的に配列された電気光学装置を駆動する方法であって、前記発光色の種類応じた複数種類の電源電圧を生成し、前記発光色の種類応じた複数種類の階調信号を生成し、前記画素回路の温度を検出して温度情報を出力し、前記発光色の種類毎に、前記温度情報に応じて前記各電源電圧を補正するための各電源電圧補正信号を各々生成し、前記各電源電圧補正信号に応じて前記各電源電圧を補正して各供給電源電圧を生成し、前記各供給電源電圧を前記発光色の種類に応じて前記各画素回路に供給し、表示すべき階調に応じた供給階調信号を前記発光色毎に生成し、前記各供給階調信号を前記発光色の種類に応じて前記各画素回路へ出力することを特徴とする。
この発明によれば、自発光素子の表示階調を発光期間によって調整する電気光学装置において、画素回路に供給する供給電源電圧を補正することによって自発光素子の発光輝度を温度によらず一定にすることができる。ここで、供給電源電圧は自発光素子の発光色に応じて各々用意し、各供給電源電圧を補正済みのものとしたので、温度が変化しても全体の輝度のみならず、色のバランスも一定にすることができる。この結果、表示品質を大幅に向上させることができる。
上述した電気光学装置の駆動方法において、前記自発光素子は、有機発光ダイオードであることが好ましい。
【発明を実施するための最良の形態】
【００２７】
＜１．第１実施形態＞
図１は、本発明の第１実施形態に係る電気光学装置の概略構成を示すブロック図である。電気光学装置１は、電気光学パネルＡＡと外部回路を備える。電気光学パネルＡＡには、表示領域Ａ、走査線駆動回路１００、データ線駆動回路２００、及び温度センサ３００が形成される。このうち、表示領域Ａには、Ｘ方向と平行にｍ本の走査線１０１及びｍ本の発光制御線１０２が形成される。また、Ｘ方向と直交するＹ方向と平行にｎ本のデータ線１０３が形成される。そして、走査線１０１とデータ線１０３との各交差に対応して画素回路４００Ａが各々設けられている。画素回路４００ＡはＯＬＥＤ素子を含んでいる。図に示す「Ｒ」、「Ｇ」、及び「Ｂ」の符号はそれぞれ「赤」、「緑」、及び「青」を意味し、ＯＬＥＤ素子の発光色を示している。この例にあっては、データ線１０３に沿って各色の画素回路４００Ａが配列されている。
【００２８】
また、各画素回路４００Ａのうち、Ｒ色に対応する画素回路４００Ａは電源線ＬＲと接続されており、Ｇ色に対応する画素回路４００Ａは電源線ＬＧと接続されており、Ｂ色に対応する画素回路４００Ａは電源線ＬＢに接続されている。電源回路６００は、基準電源電圧Ｖｒｅｆ１、Ｖｒｅｆ２、及びＶｒｅｆ３を生成する電圧源６１０と、供給電源電圧Ｖｄｄｒ、Ｖｄｄｇ、及びＶｄｄｂを出力する電源電圧供給回路６２０とを備える。基準電源電圧Ｖｒｅｆ１はＲ色に、基準電源電圧Ｖｒｅｆ２はＢ色に、基準電源電圧Ｖｒｅｆ３はＧ色に各々対応する。電源電圧供給回路６２０は、基準電源電圧Ｖｒｅｆ１、Ｖｒｅｆ２、及びＶｒｅｆ３に対し、ＯＬＥＤ素子の発光温度特性を考慮した補正処理を施して供給電源電圧Ｖｄｄｒ、Ｖｄｄｇ、及びＶｄｄｂを生成する。供給電源電圧Ｖｄｄｒ、Ｖｄｄｇ、及びＶｄｄｂは、電源線ＬＲ、ＬＧ及びＬＢを介して、ＲＧＢ各色に対応する画素回路４００Ａに供給される。このように色毎に電源線ＬＲ、ＬＧ、及びＬＢを設けたのは、色毎にＯＬＥＤ素子の発光特性が相違するので、異なる供給電源電圧Ｖｄｄｒ、Ｖｄｄｇ、及びＶｄｄｂを各画素回路４００Ａに給電する必要があるからである。
【００２９】
走査線駆動回路１００は、複数の走査線１０１を順次選択するための走査信号Ｙ１、Ｙ２、Ｙ３、…、Ｙｍを生成すると共に発光制御信号Ｖｇ１、Ｖｇ２、Ｖｇ３、…、Ｖｇｍを生成する。発光制御信号Ｖｇ１、Ｖｇ２、Ｖｇ３、…、Ｖｇｍは、各発光制御線１０２を介して各画素回路４００Ａに各々供給される。図２に走査信号Ｙ１〜Ｙｍと発光制御信号Ｖｇ１〜Ｖｇｍのタイミングチャートの一例を示す。走査信号Ｙ１は、１垂直走査期間（１Ｆ）の最初のタイミングから、１水平走査期間（１Ｈ）に相当する幅のパルスであって、１行目の走査線１０１に供給される。以降、このパルスを順次シフトして、２、３、…、ｍ行目の走査線１０１の各々に走査信号Ｙ２、Ｙ３、…、Ｙｍとして供給する。一般的にｉ（ｉは、１≦ｉ≦ｍを満たす整数）行目の走査線１０１に供給される走査信号ＹｉがＨレベルになると、当該走査線１０１が選択されたことを示す。また、発光制御信号Ｖｇ１、Ｖｇ２、Ｖｇ３、…、Ｖｇｍとしては、例えば、走査信号Ｙ１、Ｙ２、Ｙ３、…、Ｙｍの論理レベルを反転した信号を用いる。
【００３０】
データ線駆動回路２００は、階調データＤに基づいて、選択された走査線１０１に位置する画素回路４００Ａの各々に対し供給階調信号Ｘ１、Ｘ２、Ｘ３、…、Ｘｎを供給する。この例において、供給階調信号Ｘ１〜Ｘｎは階調輝度を指示する電流信号として与えられる。また、データ線駆動回路２００は、階調信号ｘ１〜ｘｎを生成する階調信号生成回路２１０と、供給階調信号Ｘ１〜Ｘｎを各データ線１０３に出力する階調信号供給回路２２０とを備える。階調信号供給回路２２０は、階調信号ｘ１〜ｘｎに対しＯＬＥＤ素子の発光温度特性を考慮した補正処理を施して供給階調信号Ｘ１〜Ｘｎを生成する。
【００３１】
温度センサ３００は、電気光学パネルＡＡの温度を検出して温度信号ＴＳ（温度情報）を出力する。温度センサ３００は、例えば、ダイオード等によって構成することができる。また、画素回路４００Ａに含まれるＯＬＥＤ素子と同一のＯＬＥＤ素子を同一プロセスで形成し、これを温度センサ３００として用いてもよい。
【００３２】
補正信号生成回路５００は、温度信号ＴＳに基づいて、電源電圧補正情報ＲＨ１、ＧＨ１、及びＢＨ１（第１補正信号）と階調補正情報ＲＨ２、ＧＨ２、及びＢＨ２（第２補正信号）を生成し、前者を電源電圧供給回路６２０へ出力する一方、後者を階調信号供給回路２２０へ出力する。これらの補正情報については後述する。
【００３３】
タイミング発生回路７００は、各種の制御信号を生成してこれらを走査線駆動回路１００及びデータ線駆動回路２００へ出力する。また、画像処理回路８００はガンマ補正等の画像処理を施した階調データＤを生成し、データ線駆動回路２００へ出力する。なお、この例では、補正信号生成回路５００、電源回路６００、タイミング発生回路７００、及び画像処理回路８００を、電気光学パネルＡＡの外部に設けたが、これらの構成要素の一部又は全部を電気光学パネルＡＡに取り込んでもよく。更に、電気光学パネルＡＡに設けられた構成要素の一部を外部回路として設けてもよい。例えば、温度センサ３００を電気光学パネルＡＡの外部に設けてもよい。但し、画素回路４００Ａの温度を検出可能な範囲に配置することが好ましい。
【００３４】
次に、画素回路４００Ａについて説明する。図３に、画素回路４００Ａの回路図を示す。同図に示す画素回路４００Ａは、ｉ行目のＲ色に対応するものであり、供給電源電圧Ｖｄｄｒが供給される。他の色に対応する画素回路４００Ａは、供給電源電圧Ｖｄｄｒの代わりに供給電源電圧Ｖｄｄｇ（Ｇ色）又は供給電源電圧Ｖｄｄｂ（Ｂ色）が供給される点を除いて、同様に構成されている。画素回路４００Ａは、４個のＴＦＴ４０１〜４０４と、容量素子４１０と、ＯＬＥＤ素子４２０とを備える。このうち、ｐチャネル型のＴＦＴ４０１のソース電極は電源線ＬＲに接続される一方、そのドレイン電極はｎチャネル型ＴＦＴ４０３のドレイン電極、ｎチャネル型ＴＦＴ４０４のドレイン電極及びｎチャネル型ＴＦＴ４０２のソース電極にそれぞれ接続される。
【００３５】
容量素子４１０の一端はＴＦＴ４０１のソース電極に接続される一方、その他端は、ＴＦＴ４０１のゲート電極及びＴＦＴ４０２のドレイン電極にそれぞれ接続される。ＴＦＴ４０３のゲート電極は走査線１０１に接続され、そのソース電極は、データ線１０３に接続される。また、ＴＦＴ４０２のゲート電極は走査線１０１に接続される。一方、ＴＦＴ４０４のゲート電極は発光制御線１０２に接続され、そのソース電極はＯＬＥＤ素子４２０の陽極に接続される。ＴＦＴ４０４のゲート電極には、発光制御線１０２を介して発光制御信号Ｖｇｉが供給される。また、ＯＬＥＤ素子４２０については、陽極と陰極の間に発光層が挟持されて、順方向電流に応じた輝度にて発光する。なお、ＯＬＥＤ素子４２０の陰極は、画素回路４００Ａのすべてにわたって共通の電極であり、電源における低位（基準）電位となっている。
【００３６】
このような構成において、走査信号ＹｉがＨレベルになると、ｎチャネル型ＴＦＴ４０２がオン状態となるので、ＴＦＴ４０１は、ゲート電極とドレイン電極とが互いに接続されたダイオードとして機能する。走査信号ＹｉがＨレベルになると、ｎチャネル型ＴＦＴ４０３も、ＴＦＴ４０２と同様にオン状態となる。この結果、データ線駆動回路２００の電流Ｉdataが、電源線ＬＲ→ＴＦＴ４０１→ＴＦＴ４０３→データ線１０３という経路で流れるとともに、そのときに、ＴＦＴ４０１のゲート電極の電位に応じた電荷が容量素子４１０に蓄積される。
【００３７】
走査信号ＹｉがＬレベルになると、ＴＦＴ４０３、４０２はともにオフ状態となる。このとき、ＴＦＴ４０１のゲート電極における入力インピーダンスは極めて高いので、容量素子４１０における電荷の蓄積状態は変化しない。ＴＦＴ４０１のゲート・ソース間電圧は、電流Ｉdataが流れたときの電圧に保持される。また、走査信号ＹｉがＬレベルになると、発光制御信号ＶｇｉがＨレベルとなる。このため、ｎチャネル型のＴＦＴ４０４がオンし、ＴＦＴ４０１のソース・ドレイン間には、そのゲート電圧に応じた電流Ｉoledが流れる。詳細には、この電流は、電源線ＬＲ→ＴＦＴ４０１→ＴＦＴ４０４→ＯＬＥＤ素子４２０という経路で流れる。
【００３８】
ここで、ＯＬＥＤ素子４２０に流れる電流Ｉoledは、ＴＦＴ４０１のゲート・ソース間電圧で定まるが、その電圧は、Ｈレベルの走査信号Ｙｉによって電流Ｉdataがデータ線１０３に流れたときに、容量素子４１０によって保持された電圧である。このため、発光制御信号ＶｇｉがＨレベルになったときに、ＯＬＥＤ素子４２０に流れる電流Ｉoledは、直前に流れた電流Ｉdataに略一致する。このように画素回路４００Ａは、電流Ｉdataによって発光輝度を規定することから、電流プログラム方式の回路である。
【００３９】
ところで、ＯＬＥＤ素子４２０の発光層には、発光色に応じた有機ＥＬ（Electronic Luminescence）材料が用いられる場合がある。この場合、発光輝度の温度依存性はＲ色、Ｇ色、Ｂ色によって異なる。図４（Ａ）はＯＬＥＤ素子４２０に一定電流を流した場合における発光輝度と温度の関係を示した一例である。この図から注入電流が一定の場合は、温度が高くなる程、輝度が低下することが分かる。また、同図（Ｂ）は、ＯＬＥＤ素子４２０に一定電圧を印加した場合における発光輝度と温度の関係を示した一例である。この図から印加電圧が一定の場合は、温度が高くなる程、輝度が明るくなることが分かる。
【００４０】
このようにＯＬＥＤ素子４２０の発光輝度は、注入電流や印加電圧といった複数の要素に起因する温度依存性を有する。本実施形態においては、これら要素毎に温度依存性を補正する手法を採用する。図５に、温度特性を補正するための構成を示す。
【００４１】
補正信号生成回路５００は、補正テーブルＬＵＴを備える。補正テーブルＬＵＴには、温度信号ＴＳと電源電圧補正情報ＲＨ１、ＧＨ１、及びＢＨ１、並びに階調補正情報ＲＨ２、ＧＨ２、及びＢＨ２とが対応付けられて記憶されている。電源電圧補正情報ＲＨ１、ＧＨ１、及びＢＨ１は、ＯＬＥＤ素子４２０に流れる注入電流を一定とした場合に、ＯＥＬＤ素子４２０の発光輝度が温度によらず一定となるように調整設定されている。一方、階調補正情報ＲＨ２、ＧＨ２、及びＢＨ２は、ＯＬＥＤ素子４２０の印加電圧を一定とした場合に、ＯＥＬＤ素子４２０の発光輝度が温度によらず一定となるように調整設定されている。そして、Ａ／Ｄ変換器５１０を介して、温度センサ３００の温度信号ＴＳが取り込まれると、補正テーブルＬＵＴは、温度信号ＴＳが示す温度に対応した電源電圧補正情報と階調補正情報の組を出力する。上述したようＯＬＥＤ素子４２０の温度特性は、ＲＧＢ各色によって相違する。このため、電源電圧補正情報及び階調補正情報は、色毎に設定されている。補正テーブルＬＵＴは、温度と６個の補正情報（ＲＨ１、ＧＨ１、ＢＨ１、ＲＨ２、ＧＨ２、ＢＨ２）とを対応付けて記憶したので、１回の読み出し動作で６個の補正情報を取得することができる。なお、この例では補正テーブルＬＵＴを参照して補正情報を生成したが、温度特性のモデルを数式で予め用意し、演算によって上述した補正情報を算出してもよい。
【００４２】
電源電圧供給回路６２０は、Ｒ色に対応する電源供給ユニットＵｖ１、Ｇ色に対応する電源供給ユニットＵｖ２、及びＢ色に対応する電源供給ユニットＵｖ３を含む。各電源供給ユニットＵｖ１〜Ｕｖ３は同様に構成されているので、ここでは電源供給ユニットＵｖ１について説明し、他の電源供給ユニットＵｖ２及びＵｖ３については説明を省略する。オペアンプ６２１、抵抗Ｒ３及び可変抵抗Ｒ４は、利得を可変可能なアンプＺを構成する。また、オペアンプ６２２はボルテージフォロアを構成しており、バッファとして機能する。
【００４３】
アンプ２３０の利得は、抵抗Ｒ３と可変抵抗Ｒ４の抵抗値の比によって決定される。可変抵抗Ｒ２は、デジタルデータによって抵抗値が可変されるようになっている。可変抵抗Ｒ２は、例えば、スイッチ素子とラダー抵抗等によって構成される。可変抵抗Ｒ２の抵抗値は電源電圧補正情報ＲＨ１によって調整される。このアンプＺの入力信号は、Ｒ色に対応する基準基準電源電圧Ｖｒｅｆ１である。電源供給ユニットＵｖ１は、電源電圧補正情報ＲＨ１に基づいて基準電源電圧Ｖｒｅｆ１を補正して得た供給電源電圧Ｖｄｄｒを生成し、供給電源電圧ＶｄｄｒをＲ色に対応する画素回路４００Ａへ出力する。この点は、電源供給ユニットＵｖ２及びＵｖ３についても同様であり、電源電圧補正情報ＧＨ１に基づいて基準電源電圧Ｖｒｅｆ２を補正して得た供給電源電圧Ｖｄｄｇ、電源電圧補正情報ＢＨ１に基づいて基準電源電圧Ｖｒｅｆ３を補正して得た供給電源電圧ＶｄｄｂがＧ色及びＢ色に対応する画素回路４００Ａへそれぞれ出力される。この結果、ＯＬＥＤ素子４２０の印加電圧（駆動電圧）の観点から、ＯＬＥＤ素子４２０の発光温度特性を一定にすることが可能となる。
【００４４】
次に、階調信号供給回路２２０は、ｎ個の信号供給ユニットＵｓ１、Ｕｓ２、…、Ｕｓｎを備える。信号供給ユニットＵｓ１〜Ｕｓｎは、階調補正情報ＲＨ２、ＧＨ２、及びＢＨ２に基づいて階調信号ｘ１〜ｘｎを補正し、供給階調信号Ｘ１〜Ｘｎを生成する。ここで、階調補正情報ＲＨ２は、Ｒ色に対応する信号供給ユニットＵｓ１、Ｕｓ４、…、Ｕｓｎ-２に供給され、階調補正情報ＧＨ２は、Ｇ色に対応する信号供給ユニットＵｓ２、Ｕｓ５、…、Ｕｓｎ-１に供給され、階調補正情報ＢＨ２は、Ｂ色に対応する信号供給ユニットＵｓ３、Ｕｓ６、…、Ｕｓｎに供給される。各信号供給ユニットＵｓ１〜Ｕｓｎは同様に構成されているので、ここでは信号供給ユニットＵｓ１について説明し、他の信号供給ユニットＵｓ２〜Ｕｓｎについては説明を省略する。
【００４５】
図６に信号供給ユニットＵｓ１の構成を示す。オペアンプ２２１、抵抗Ｒ３及び可変抵抗Ｒ４は、利得を可変可能なアンプを構成する。可変抵抗Ｒ４の抵抗値は階調補正情報ＲＨ２によって調整されるので、アンプの出力信号は、階調補正情報ＲＨ２に基づいて階調信号ｘ１を補正したものとなる。トランジスタ２２２は電流源として機能し、ゲート・ソース間の電圧に応じた電流Ｉdataを供給階調信号Ｘ１としてデータ線１０３へ出力する。スイッチ素子２２３は、イネーブル信号に基づいて動作し、データ線１０３へ供給階調信号Ｘ１を供給するタイミングにおいてオン状態となる。この結果、データ線１０３への注入電流、すなわち、ＯＬＥＤ素子４２０の注入電流（駆動電流）の観点から、ＯＬＥＤ素子４２０の発光温度特性を一定にすることが可能となる。
【００４６】
例えば、ＯＬＥＤ素子の発光温度特性が、注入電流を一定した場合に図７（Ａ）に示すものであり、印加電圧を一定にした場合に図７（Ｂ）に示すものであるとする。この場合には、同図（Ａ）の発光温度特性を打ち消すように供給階調信号（電流Ｉdata）には図７（Ｃ）に示す温度特性が与えられる。また、同図（Ｂ）の発光温度特性を打ち消すように供給電源電圧には図７（Ｄ）に示す温度特性が与えられる。このように電気光学装置１は、ＯＬＥＤ素子４２０の発光温度特性を、印加電圧と注入電流といった駆動条件の観点から独立して補正したので、複雑な発光温度特性を簡易に補正することが可能となる。この結果、温度が変化しても一定の輝度で画像を表示することができ、表示品質を大幅に改善することができる。また、ＲＧＢ各色のＯＬＥＤ素子４２０にそれぞれ対応して温度特性を補正したので、カラー表示において各色が均一に補正される。この結果、温度が変化しても色バランスを良好に保つことが可能となる。
【００４７】
＜２．第２実施形態＞
次に、第２実施形態に係る電気光学装置について説明する。第２実施形態の電気光学装置は、図３に示す画素回路４００Ａの代わり画素回路４００Ｂを用いる点、及び発光制御線１０２を省略した点、及び階調信号供給回路２２０を構成する信号供給ユニットの詳細な構成が、上述した第１実施形態の電気光学装置１と相違する。
【００４８】
図８に画素回路４００Ｂの構成を示す。同図に示す画素回路４００Ｂは、ｉ行目のＲ色に対応するものであり、供給電源電圧Ｖｄｄｒが供給される。画素回路４００Ｂが、上述した画素回路４００Ａと相違するのは、ＴＦＴ４０２〜４０３を削除し、データ線１０３とＴＦＴ４０１のゲート電極との間にＴＦＴ４０５を設け、ＴＦＴ４０５のゲート電極を走査線１０１に接続した点と、ＴＦＴ４０１のドレイン電極をＯＬＥＤ素子４２０の陽極に接続した点である。
【００４９】
このような構成において、走査信号ＹｉがＨレベルになると、ｎチャネル型ＴＦＴ４０５がオン状態となるので、接続点Ｑの電圧が電圧Ｖdataと等しくなる。このとき、容量素子４１０にはＶｄｄｒ−Ｖdataに相当する電荷が蓄積される。次に、走査信号ＹｉがＬレベルになると、ＴＦＴ４０５はオフ状態となる。ＴＦＴ４０１のゲート電極における入力インピーダンスは極めて高いので、容量素子４１０における電荷の蓄積状態は変化しない。ＴＦＴ４０１のゲート・ソース間電圧は、電圧Ｖdataが印加されたときの電圧（Ｖｄｄｒ−Ｖdata）に保持される。ＯＬＥＤ素子４２０に流れる電流Ｉoledは、ＴＦＴ４０１のゲート・ソース間電圧によって定まるので、電圧Ｖdataに応じた電流Ｉoledが流れる。このように画素回路４００Ｂは、電圧Ｖdataによって発光輝度を規定することから、電圧プログラム方式の回路である。
【００５０】
次に、本実施形態の階調信号供給回路２２０は、図５を参照して説明したようにｎ個の信号供給ユニットＵｓ１〜Ｕｓｎを備えるが、その詳細な構成が相違する。これは、第１実施形態の画素回路４００Ａは電流信号Ｉdataによって動作したが、第２実施形態の画素回路４００Ｂは電圧信号Ｖdataによって動作するため、供給階調信号Ｘ１〜Ｘｎを電圧信号Ｖdataとして出力する必要があるからである。図９に信号供給ユニットＵｓ１の詳細な構成を示す。第２実施形態の信号供給ユニットＵｓ１は、電流源として機能するＴＦＴ２２２の代わりにオペアンプ２２４を用いる。オペアンプ２２４はボルテージフォロアを構成しており、アンプＺの出力信号を供給階調信号Ｘ１として出力する。
【００５１】
上述した画素回路４００Ｂにおいて供給電源電圧Ｖｄｄｒを一定としたとき、電圧Ｖdataと電流Ｉoledとの関係は図１０に示すものとなる。ここで、Ｖｔｈはｐチャネル型ＴＦＴ４０１の閾値電圧である。従って、例えば、ＯＬＥＤ素子の発光温度特性が、注入電流を一定した場合に図７（Ａ）に示すものであり、印加電圧を一定にした場合に図７（Ｂ）に示すものであるとした場合には、温度によらず一定の表示輝度とするためには、電圧Ｖdataの温度特性を図１１（Ｃ）に示すように設定すると共に、供給電源電圧Ｖｄｄｒの温度特性を図１１（Ｄ）に示すように設定すればよい。
【００５２】
＜３．第３実施形態＞
次に、第３実施形態に係る電気光学装置について説明する。第３実施形態の電気光学装置は、図３に示す画素回路４００Ａの代わりに画素回路４００Ｃを用いる点、及び階調信号供給回路２２０を構成する信号供給ユニットの詳細な構成が、上述した第１実施形態の電気光学装置１と相違する。
【００５３】
図１２に画素回路４００Ｃとその周辺回路の構成を示す。図に示すようにデータ線１０３とインバータＩＮＶの入力端子との間には容量素子４３０が設けられている。インバータＩＮＶの入力端子と出力端子との間にはスイッチ素子ＳＷ１が設けられている。また、スイッチ素子ＳＷ２は、インバータＩＮＶの電源端子と電源線ＬＲとの間に設けられており、オン状態で供給電源電圧ＶｄｄｒをインバータＩＮＶに供給する一方、オフ状態で電源供給を停止する。ＯＬＥＤ素子４２０の陰極は接地されており、その陽極はインバータＩＮＶの出力端子と接続されている。データ線供給回路２００には、各データ線１０３に対応して信号供給回路２３０が設けられている。信号供給回路２３０は、スイッチ素子ＳＷ３及びＳＷ４と三角波発生回路２３１を備える。三角波発生回路２３０は、１フレーム周期の三角波信号ＳＳを発生する。
【００５４】
図１３に画素回路４００Ｃのタイミングチャートを示す。１フレーム（１Ｆ）はアドレス期間Ｔａと発光期間Ｔｂとに分割される。まず、アドレス期間Ｔａにおいてデータ線駆動回路２００からデータ線１０３を介して電圧信号Ｖdataが供給され、次に、発光期間Ｔｂにおいて三角波信号ＳＳが供給される。アドレス期間Ｔａにおける書込期間Ｔｗは、各画素回路４００Ｃの各々に対応している。書込期間Ｔｗでは、スイッチ素子ＳＷ１及びＳＷ２がオン状態となる。このとき、容量素子４３０の両端には電圧（Ｖdata−Ｖres）が印加される。ＶresはインバータＩＮＶのリセット電圧である。スイッチ素子ＳＷ１は、次のフレームの書込期間Ｔｗまでオフ状態となり、これに伴って、インバータＩＮＶと接続される容量素子４３０の端子はフローティング状態となる。従って、容量素子４３０の印加電圧（Ｖdata−Ｖres）は、次の書込期間Ｔｗまで維持される。スイッチ素子ＳＷ２は発光期間Ｔａ中にオン状態となり、当該期間Ｔａに三角波信号ＳＳがデータ線１０３に供給される。
【００５５】
三角波信号ＳＳの電圧が電圧Ｖdataを下回ると、インバータＩＮＶの入力電圧がリセット電圧Ｖresを下回る。このとき、インバータＩＮＶの出力電圧はＨレベルとなり、ＯＬＥＤ素子４２０が一定の輝度で発光する。
【００５６】
この表示方式において、ＯＬＥＤ素子４２０の表示輝度は、供給電源電圧Ｖｄｄｒによってピークが決定され、電圧信号Ｖdata及び三角波信号ＳＳによって表示期間が制御される。本実施形態においては、ＯＬＥＤ素子４２０の発光温度特性を補正するために、基準電源電圧Ｖｒｅｆ１を温度に応じて補正した供給電源電圧Ｖｄｄｒを用いて画素回路４００Ｃを動作させる。この場合には、供給電源電圧Ｖｄｄｒに図１４に示す温度特性を持たせればよい。また、供給電源電圧Ｖｄｄｇ及び供給電源電圧Ｖｄｄｂについても同様に補正処理が施される。
【００５７】
このように本実施形態においては、ＯＬＥＤ素子４２０の発光温度特性が、発光色毎に相違する点に着目し、画素回路４００Ｃに供給する各供給電源電圧Ｖｄｄｒ、Ｖｄｄｇ、及びＶｄｄｂに対して、発光温度特性を打ち消すようにそれぞれの発光色に対応して補正を施したので、温度が変化しても一定の輝度を保つことができ、更に、色のバランスを良好に維持することができる。
【００５８】
＜５．応用例＞
次に、上述した実施形態に係る電気光学装置１を適用した電子機器について説明する。図１５に、電気光学装置１を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１及びキーボード２００２が設けられている。この電気光学装置１はＯＬＥＤ素子４２０を用いるので、視野角が広く見易い画面を表示できる。
【００５９】
図１６に、電気光学装置１を適用した携帯電話機の構成を示す。携帯電話機３０００は、複数の操作ボタン３００１及びスクロールボタン３００２、並びに表示ユニットとしての電気光学装置１を備える。スクロールボタン３００２を操作することによって、電気光学装置１に表示される画面がスクロールされる。
【００６０】
図１７に、電気光学装置１を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１を備える。電源スイッチ４００２を操作すると、住所録やスケジュール帳といった各種の情報が電気光学装置１に表示される。
【００６１】
なお、電気光学装置１が適用される電子機器としては、図１５〜１７に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１が適用可能である。
【図面の簡単な説明】
【００６２】
【図１】本発明の第１実施形態に係る電気光学装置の構成を示すブロック図である。
【図２】同装置における走査線駆動回路のタイミングチャートである。
【図３】同装置における画素回路の構成を示す回路図である。
【図４】同画素回路に用いるＯＬＥＤ素子の発光温度特性を示すグラフである。
【図５】同装置における温度特性を補正する主要な構成を示すブロック図である。
【図６】同装置の信号供給ユニットの構成例を示す回路図である。
【図７】同画素回路に用いるＯＬＥＤ素子の発光温度特性と供給階調信号及び供給電源電圧とを示すグラフである。
【図８】本発明の第２実施形態に係る電気光学装置に用いる画素回路の構成を示す回路図である。
【図９】同装置の信号供給ユニットの構成例を示す回路図である。
【図１０】同画素回路において供給電源電圧を一定としたときの、電圧Ｖdataと電流Ｉoledとの関係を示すグラフである。
【図１１】同装置における供給電源電圧Ｖｄｄｒの温度特性と電圧Ｖdataの温度特性を示すグラフである。
【図１２】本発明の第３実施形態に係る電気光学装置に用いる画素回路及びその周辺回路の構成を示す回路図である。
【図１３】同画素回路の動作を示すタイミングチャートである。
【図１４】同装置における供給電源電圧の温度特性を示すグラフである。
【図１５】同電気光学装置を適用したモバイル型のパーソナルコンピュータの構成を示す斜視図である。
【図１６】同電気光学装置を適用した携帯電話機の構成を示す斜視図である。
【図１７】同電気光学装置を適用した携帯情報端末の構成を示す斜視図である。
【符号の説明】
【００６３】
１…電気光学装置、２１０…階調信号生成回路（第２信号生成手段）、２３０…階調信号供給回路（第２供給手段）、４２０…有機発光ダイオード、４００Ａ，４００Ｂ，４００Ｃ…画素回路、３００…温度センサ（温度検出手段）、５００…補正信号生成回路（補正信号生成手段）、６１０…電圧源（第１信号生成手段）、６２０…電源電圧供給回路（第１供給手段）、ＴＳ…温度信号（温度情報）、ＬＵＴ…補正テーブル、ＲＨ１，ＧＨ１，ＢＨ１…電源電圧補正情報（第１補正信号）、ＲＨ２，ＧＨ２，ＢＨ２…階調補正情報（第２補正信号）、Ｖｄｄｒ，Ｖｄｄｇ，Ｖｄｄｂ…供給電源電圧（第１供給信号）、ｘ１〜ｘｎ…階調信号（第２信号）、Ｘ１〜Ｘｎ…供給階調信号（第２供給信号）、Ｖｒｅｆ１，Ｖｒｅｆ２，Ｖｒｅｆ３…基準電圧（第１信号）。
【図１】
0004826698.tif 000002
【図２】
0004826698.tif 000003
【図３】
0004826698.tif 000004
【図４】
0004826698.tif 000005
【図５】
0004826698.tif 000006
【図６】
0004826698.tif 000007
【図７】
0004826698.tif 000008
【図８】
0004826698.tif 000009
【図９】
0004826698.tif 000010
【図１０】
0004826698.tif 000011
【図１１】
0004826698.tif 000012
【図１２】
0004826698.tif 000013
【図１３】
0004826698.tif 000014
【図１４】
0004826698.tif 000015
【図１５】
0004826698.tif 000016
【図１６】
0004826698.tif 000017
【図１７】
0004826698.tif 000018